(57)【特許請求の範囲】
【請求項１】
時分割複信（ＴＤＤ）システムにおいてカバレッジを増大させるための装置であって、
前記ＴＤＤシステムにおけるサブフレームのための少なくとも一つのＴＤＤアップリンク（ＵＬ）／ダウンリンク（ＤＬ）構成が存在し、少なくとも一つのＵＬ／ＤＬ構成は、少なくとも一つのスペシャルサブフレームと少なくとも一つの通常のサブフレームとを備え、
スペシャルサブフレームがＴＴＩバンドリングに適用されるかどうかを決定するよう構成される第１の決定機と、
スペシャルサブフレームが伝送時間間隔（ＴＴＩ）バンドリングに適用されるという決定に応じて、ユーザ機器（ＵＥ）がＴＴＩバンドリングパケットを少なくとも一つのスペシャルサブフレームで伝送するように、スペシャルサブフレームがＴＴＩバンドリングに適用されることを指し示す指示を有するメッセージを前記ＵＥに送信するよう構成される送信機と、
を備える装置。
【請求項２】
前記送信機が、スペシャルサブフレームがＴＴＩバンドリングに適用されないという決定に応じて、前記ＵＥがＴＴＩバンドリングパケットを通常のサブフレームのみで伝送するように、前記指示を含まない前記メッセージを前記ＵＥに送信するようさらに構成される、請求項１に記載の装置。
【請求項３】
前記送信機が、
無線リソース制御（ＲＲＣ）シグナリングを前記指示を含むように構成するよう構成される構成部と、
前記ＲＲＣシグナリングを前記ＵＥに送信するよう構成される送信部と、
を備える、請求項１に記載の装置。
【請求項４】
前記ＴＴＩバンドリングに用いられる重複バージョンのシーケンスがサブフレームの配列に従って設定される、請求項１に記載の装置。
【請求項５】
前記スペシャルサブフレームが、ダウンリンク伝送に関連する第１の部分と、前記ダウンリンク伝送とアップリンク伝送との遷移のための分離に関連する第２の部分と、前記アップリンク伝送に関連する第３の部分と、を備え、前記第３の部分の長さは、前記スペシャルサブフレームの長さの半分に設定される、請求項１に記載の装置。
【請求項６】
前記スペシャルサブフレームに割り当てられるリソースブロックの数が、通常のサブフレームに割り当てられるリソースブロックの数の倍である、請求項１に記載の装置。
【請求項７】
前記少なくとも一つのＵＬ／ＤＬ構成は、３ＧＰＰ仕様書に記述されるＵＬ／ＤＬ構成０から６を備え、任意のＵＬ／ＤＬ構成２，３及び４に関する前記ＴＴＩバンドリングのためのＨＡＲＱプロセスの数は２以下である、請求項１に記載の装置。
【請求項８】
時分割複信（ＴＤＤ）システムにおいてカバレッジを増大させるための装置であって、
前記ＴＤＤシステムにおけるサブフレームのための少なくとも一つのＴＤＤアップリンク（ＵＬ）／ダウンリンク（ＤＬ）構成が存在し、少なくとも一つのＵＬ／ＤＬ構成は、少なくとも一つのスペシャルサブフレームと少なくとも一つの通常のサブフレームとを備え、
スペシャルサブフレームが伝送時間間隔（ＴＴＩ）バンドリングに適用されることを指し示す指示を、基地局（ＢＳ）から受信されたメッセージが含むかどうかを決定するよう構成される第２の決定機と、
前記受信されたメッセージが前記指示を含むという決定に応じて、ＴＴＩバンドリングパケットを前記ＢＳに少なくとも一つのスペシャルサブフレームで伝送するよう構成される伝送機と、
を備える装置。
【請求項９】
時分割複信（ＴＤＤ）システムにおいてカバレッジを増大させるための方法であって、
前記ＴＤＤシステムにおけるサブフレームのための少なくとも一つのＴＤＤアップリンク（ＵＬ）／ダウンリンク（ＤＬ）構成が存在し、少なくとも一つのＵＬ／ＤＬ構成は、少なくとも一つのスペシャルサブフレームと少なくとも一つの通常のサブフレームとを備え、
スペシャルサブフレームが伝送時間間隔（ＴＴＩ）バンドリングに適用されるかどうかを決定することと、
スペシャルサブフレームがＴＴＩバンドリングに適用されるという決定に応じて、ユーザ機器（ＵＥ）がＴＴＩバンドリングパケットを少なくとも一つのスペシャルサブフレームで伝送するように、スペシャルサブフレームがＴＴＩバンドリングに適用されることを指し示す指示を有するメッセージを前記ＵＥに送信することと、
を備える方法。
【請求項１０】
時分割複信（ＴＤＤ）システムにおいてカバレッジを増大させるための方法であって、
前記ＴＤＤシステムにおけるサブフレームのための少なくとも一つのＴＤＤアップリンク（ＵＬ）／ダウンリンク（ＤＬ）構成が存在し、少なくとも一つのＵＬ／ＤＬ構成は、少なくとも一つのスペシャルサブフレームと少なくとも一つの通常のサブフレームとを備え、
スペシャルサブフレームが伝送時間間隔（ＴＴＩ）バンドリングに適用されることを指し示す指示を、基地局（ＢＳ）から受信されたメッセージが含むかどうかを決定することと、
前記受信されたメッセージが前記指示を含むという決定に応じて、ＴＴＩバンドリングパケットを前記ＢＳに少なくとも一つのスペシャルサブフレームで伝送することと、
を備える方法。
【発明の詳細な説明】
【技術分野】
【０００１】
本発明の実施形態は、概して通信技術に関する。とりわけ、本発明の実施形態は、ＴＤＤシステムにおいてカバレッジを増大させるための方法及び装置に関する。
【背景技術】
【０００２】
３ＧＰＰ  ＬＴＥ及びＬＴＥ−アドバンス（ＬＴＥ−Ａ）は、新たに発展している無線接続技術のための一連の仕様を新しく創造する次世代移動体通信標準の一つである。マルチプレックスソリューションに関して、ＬＴＥ及びＬＴＥ−アドバンスは、周波数分割複信（ＦＤＤ）及び時分割複信（ＴＤＤ）の二つの方法を提供する。
【０００３】
ＬＴＥリリース８では、伝送時間間隔（ＴＴＩ）バンドリングは、セルカバレッジを向上させるために導入されている。カバレッジ利得は、アップリンク（ＵＬ）ＶｏＩＰ及び中程度の大きさのトラフィックのためのＴＴＩバンドリングエンハンスメントから観察される。ＴＴＩバンドリングは、ＵＬ／ＤＬ構成０、１、及び６のＦＤＤシステム並びにＴＤＤシステムによって概してサポートされる。
【０００４】
これまで、スペシャルサブフレームと同様に、五つのダウンリンク（ＤＬ）サブフレームと二つのＵＬサブフレームとを備えるサブフレーム構成は、Ｆバンド（１８８０−１９２０ＭＨｚ）及びＡバンド（２０１０−２０２５ＭＨｚ）におけるＴＤ−ＳＣＤＭＡネットワーク（Ｒ１−１２１７１２，ＣＭＣＣ）で用いられている。ＴＤＤシステムがＦバンド、Ａバンド及びＥバンド（２３００−２４００ＭＨｚ）のいずれでも展開される、ＴＤＤシステムとＴＤ−ＳＣＤＭＡネットワークとの間の計画のために、共存問題が考慮されるものである。
【０００５】
ＴＤ−ＳＣＤＭＡネットワークは通常５ＤＬ／２ＵＬサブフレームの構成を使用するので、ＬＴＥ  ＴＤＤシステム、ＴＤ−ＬＴＥ又はＴＤ−ＬＴＥアドバンスのための最も適切なＵＬ／ＤＬ構成は構成２である。しかしながら、構成２では、セルカバレッジを向上させるためのＴＴＩバンドリングを使用することができない。
【０００６】
前述の問題を考慮して、ＴＴＤシステムにおいてカバレッジを増大させるために、ＴＴＩバンドリングを構成２及び／又はより多くのＵＬ／ＤＬ構成で機能させるための解決策が必要になっている。
【発明の概要】
【発明が解決しようとする課題】
【０００７】
本発明はＴＴＤシステムにおいてカバレッジを増大させるための方法及び装置を提案する。特に、本発明はＴＴＤシステムにおけるカバレッジを増強するために、ＴＴＩバンドリングをＵＬ／ＤＬ構成２、同様に構成３、４，及び５で機能させるための解決策を提供する。
【課題を解決するための手段】
【０００８】
本発明の第一の態様によれば、本発明の実施形態はＴＤＤシステムにおいてカバレッジを増大させるための方法を提供し、ＴＤＤシステムにおけるサブフレームのための少なくとも一つのＴＤＤ  ＵＬ／ＤＬ構成が存在し、少なくとも一つのＵＬ／ＤＬ構成は、少なくとも一つのスペシャルサブフレームと少なくとも一つの通常のサブフレームとを備える。この方法は、スペシャルサブフレームがＴＴＩバンドリングに適用されるかどうかを決定することと、スペシャルサブフレームがＴＴＩバンドリングに適用されるという決定に応じて、ユーザ機器（ＵＥ）がＴＴＩバンドリングパケットを少なくとも一つのスペシャルサブフレームで伝送するように、スペシャルサブフレームがＴＴＩバンドリングに適用されることを指し示す指示を有するメッセージをＵＥに送信することと、を備え得る。
【０００９】
本発明の第二の態様によれば、本発明の実施形態はＴＤＤシステムにおいてカバレッジを増大させるための方法を提供し、ＴＤＤシステムにおけるサブフレームのための少なくとも一つのＴＤＤ  ＵＬ／ＤＬ構成が存在し、少なくとも一つのＵＬ／ＤＬ構成は、少なくとも一つのスペシャルサブフレームと少なくとも一つの通常のサブフレームとを備える。この方法は、スペシャルサブフレームがＴＴＩバンドリングに適用されることを指し示す指示を、基地局（ＢＳ）から受信されたメッセージが含むかどうかを決定することと、受信されたメッセージが指示を含むという決定に応じて、ＴＴＩバンドリングパケットをＢＳに少なくとも一つのスペシャルサブフレームで伝送することと、を備え得る。
【００１０】
本発明の第三の態様によれば、本発明の実施形態はＴＤＤシステムにおいてカバレッジを増大させるための装置を提供し、ＴＤＤシステムにおけるサブフレームのための少なくとも一つのＴＤＤ  ＵＬ／ＤＬ構成が存在し、少なくとも一つのＵＬ／ＤＬ構成は、少なくとも一つのスペシャルサブフレームと少なくとも一つの通常のサブフレームとを備える。この装置は、スペシャルサブフレームがＴＴＩバンドリングに適用されるかどうかを決定するよう構成される第１の決定機と、スペシャルサブフレームがＴＴＩバンドリングに適用されるという決定に応じて、ＵＥがＴＴＩバンドリングパケットを少なくとも一つのスペシャルサブフレームで伝送するように、スペシャルサブフレームがＴＴＩバンドリングに適用されることを指し示す指示を有するメッセージをＵＥに送信するよう構成される送信機と、を備え得る。
【００１１】
本発明の第四の態様によれば、本発明の実施形態はＴＤＤシステムにおいてカバレッジを増大させるための装置を提供し、ＴＤＤシステムにおけるサブフレームのための少なくとも一つのＴＤＤ  ＵＬ／ＤＬ構成が存在し、少なくとも一つのＵＬ／ＤＬ構成は、少なくとも一つのスペシャルサブフレームと少なくとも一つの通常のサブフレームとを備える。この装置は、スペシャルサブフレームがＴＴＩバンドリングに適用されることを指し示す指示を、ＢＳから受信されたメッセージが含むかどうかを決定するよう構成される第２の決定機と、前記受信されたメッセージが前記指示を含むという決定に応じて、ＴＴＩバンドリングパケットを前記ＢＳに少なくとも一つのスペシャルサブフレームで伝送するよう構成される伝送機と、を備え得る。
【００１２】
本発明の実施形態の他の特徴及び利点は、添付図面とともに読めば、特定の実施形態の以下の説明からも明らかになるだろう。添付図面は、本発明の実施形態の原理を例として図示する。
【００１３】
本発明の実施形態は例示的な位置づけであり、これらの利点については、添付図面とともに以下で、より詳細に説明する。
【図面の簡単な説明】
【００１４】
【図１】本発明の実施形態に係る、ＴＤＤシステムにおいてカバレッジを増大させるためのＢＳで用いられる方法のフローチャートである。
【図２】本発明の実施形態に係る、ＴＤＤシステムにおいてカバレッジを増大させるためのＵＥで用いられる方法のフローチャートである。
【図３】本発明の実施形態に係る、ＴＤＤシステムにおいてカバレッジを増大させるためのＢＳで用いられる装置のブロック図である。
【図４】本発明の実施形態に係る、ＴＤＤシステムにおいてカバレッジを増大させるためのＵＥで用いられる装置のブロック図である。
【図５】本発明の実施形態に係る、スペシャルサブフレームの図である。
【図６Ａ】本発明の実施形態に係る、通常のサブフレームのリソース配分の図である。
【図６Ｂ】本発明の実施形態に係る、スペシャルサブフレームのリソース配分の図である。
【図７】本発明の実施形態に係る、ＨＡＲＱ過程の図である。
【発明を実施するための形態】
【００１５】
本発明の様々な実施形態を図面とともに詳細に説明する。図中のフローチャート及びブロック図は、本発明の実施形態に従う、装置、方法、同様に構造、機能及びコンピュータプログラム製品により実行可能な動作を示す。この点について、フローチャート又はブロック図のそれぞれのブロックは、特定の論理機能を実行するための一つ以上の実行可能な指示を含むモジュール、プログラム又はコードの一部を表すものとしてもよい。いくつかの変形例においては、ブロックで示される機能が、図示される順序と異なる順序で実行されてもよい点に留意されたい。例えば、連続して示される二つのブロックは、実際には実質上並列に、又は逆の順序で実行されてもよく、それは関連する機能次第である。ブロック図及び／又はフローチャートのそれぞれのブロック並びにそれらの組み合わせは、特定の機能／動作を実行するための専用のハードウェア−ベースのシステムによって、又は専用のハードウェアとコンピュータ命令の組合せによって実行されてもよいという点にも留意されたい。
【００１６】
本開示では、ユーザ機器（ＵＥ）は、端末、移動体端末（ＭＴ）、加入者設備（ＳＳ）、携帯加入者設備（ＰＳＳ）、移動局（ＭＳ）、又はアクセス端末（ＡＴ）を指し得、また、ＵＥ、端末、ＭＴ、ＳＳ、ＰＳＳ、ＭＳ、又はＡＴの機能の一部もしくは全部が含まれ得る。
【００１７】
本開示では、“ＢＳ”という語は、例えば、ノードＢ（ＮｏｄｅＢ又はＮＢ）、発展型ノードＢ（ｅＮｏｄｅＢ又はｅＮＢ）、ラジオ・ヘッダ（ＲＨ）、遠隔ラジオ・ヘッダ（ＲＲＨ）、中継器、又はフェムト、ピコ等のような低パワーノードを表し得る。
【００１８】
まず、図１を参照すると、図１は、本発明の実施形態に係るＴＤＤシステムにおいてカバレッジを増大させるためのＢＳに用いられる方法１００のフローチャートを示す。本発明の実施形態によれば、ＴＤＤシステムにおけるサブフレームの少なくとも一つのＴＤＤ  ＵＬ／ＤＬ構成、及び少なくとも一つのスペシャルサブフレームと少なくとも一つの通常のサブフレームとを備える少なくとも一つのＵＬ／ＤＬ構成が存在する。本発明の実施形態によれば、方法１００は、例えば、ＢＳ、基地局制御機（ＢＳＣ）、ゲートウェイ、中継器、サーバ、又は他の適切なデバイスによって実行され得る。
【００１９】
本開示において、通常のサブフレームは、アップリンク転送のみに（アップリンクサブフレームとも呼ばれる）、又はダウンリンク転送のみに（ダウンリンクサブフレームとも呼ばれる）構成されたサブフレームになり得るものであり、スペシャルサブフレームはアップリンク伝送とダウンリンク伝送との両方に関連づけられ、通常のアップリンクサブフレームでも通常のダウンリンクサブフレームでもないサブフレームである。スペシャルサブフレームはダウンリンクサブフレームとアップリンクサブフレームとの遷移に用いられる。
【００２０】
さらなる理解のために、以下の本開示の実施形態はＬＴＥ  ＴＤＤシステムに基づいて記述される。当業者に理解されるように、本開示は他の適切な通信方法にも適用され得る。
【００２１】
ＬＴＥ  ＴＤＤシステムには、七つのアップリンク／ダウンリンク切り替えのパターンが存在し、ＵＬ／ＤＬ構成０から６と称される。ＬＴＥ  ＴＤＤシステムは、七つの異なるアップリンク−ダウンリンク構成による非対称なＵＬ／ＤＬ配分を許容する。表１は七つのＵＬ／ＤＬ構成を示す。
表１：ＵＬ／ＤＬ構成
【表１】
0005944579.tif 000002
【００２２】
表１において、“Ｄ”で表されるサブフレームはダウンリンクのためのサブフレームを意味し、“Ｕ”で表されるサブフレームはアップリンクのためのサブフレームを意味し、“Ｓ”で表されるサブフレームはスペシャルサブフレームを意味し、それはダウンリンクパイロットタイムスロット（ＤＷＰＴＳ）、ガードピリオド（ＧＰ）、アップリンクパイロットタイムスロット（ＵＰＰＴＳ）を備える。“Ｄ”及び“Ｕ”サブフレームの両方は本発明の実施形態に係る通常のサブフレームであり、“Ｓ”サブフレームは本発明の実施形態に係るスペシャルサブフレームの例である。
【００２３】
ステップＳ１０１では、スペシャルサブフレームがＴＴＩバンドリングに適用されるかどうかが決定される。
【００２４】
スペシャルサブフレームがＴＴＩバンドリングに適用されるかどうかの決定は、ＴＴＤシステムの現状、例えば、リソース配分、干渉、信号品質等に従って、ＢＳによってなされる。代替手段として、スペシャルサブフレームを用いることによってＢＳ及びＵＥがＴＴＩバンドリングを実行することに同意しているかどうかを判断し、同意していれば、スペシャルサブフレームがＴＴＩバンドリングに適用されるとＢＳが決定してもよい。
【００２５】
ステップＳ１０２では、スペシャルサブフレームがＴＴＩバンドリングに適用されるという決定に応えて、ＵＥがＴＴＩバンドリングパケットを少なくとも一つのスペシャルサブフレームに乗せて伝送するように、スペシャルサブフレームがＴＴＩバンドリングに適用されることを指し示す指示のメッセージがＵＥに送信される。
【００２６】
本発明の実施形態において、スペシャルサブフレームがＴＴＩバンドリングに適用されることを指し示す指示を、簡潔に“肯定指示（positive indication）”と呼ぶ。
【００２７】
肯定指示は様々な形で実行され得る。例えば、肯定指示はスペシャルサブフレームがＴＴＩバンドリングに適用されるという決定に応える“真（TRUE）”として定められてもよい。そして、“真”のフラグを含んだ、ＴＴＩバンドリングパケットをスペシャルサブフレームを用いて伝送するように通知するメッセージがＵＥに送信される。本発明のいくつかの他の実施形態によれば、肯定指示は特定の値を用いて事前に定義され得、ＢＳから送信されたメッセージが事前に定義された値、例えば０又は１、を含んでいるとＵＥが決定した場合に、ＴＴＩバンドリングをスペシャルサブフレームを用いて実行することをＢＳが望んでいるとＵＥが理解する。
【００２８】
本発明の実施形態によれば、スペシャルサブフレームがＴＴＩバンドリングに適用されないという決定に応えて、ＵＥがＴＴＩバンドリングパケットを通常のサブフレームのみで伝送するように、指示を含まないメッセージがＵＥに送信される。この場合、メッセージは肯定指示、例えば“真”を含まない。ＵＥがそのようなメッセージを受け取った場合、肯定指示を発見できず、したがってスペシャルサブフレームを用いたＴＴＩバンドリングを実行することをＢＳが望んでいないと知る。代替手段として、より明確な通知を提供するために、ＢＳは否定指示、例えば“偽（FALSE）”をＵＥに送ってもよい。
【００２９】
本発明の実施形態に従い、肯定指示を含む、又は含まないメッセージが無線リソース制御（ＲＲＣ）シグナリングとして実行され得る。ある実施形態において、ステップＳ１０２では、ＲＲＣシグナリングは指示を含むものとして構成され、ＲＲＣシグナリングはＵＥに送信され得る。本発明の実施形態に従うメッセージは他の適切な形式で実行され得、ＲＲＣシグナリングは例であって限定ではないことに注意すべきである。
【００３０】
上述のように、ＵＥが肯定指示を有するメッセージを受け取った場合、ＵＥはＴＴＩバンドリングをスペシャルサブフレームを用いて実行し、ＵＥが肯定指示を含まないメッセージを受け取った場合、ＵＥはスペシャルサブフレームを用いたＴＴＩバンドリングを実行しない。後者の状況に関して、メッセージは肯定指示を含まないが、メッセージはさらに否定指示を備え得る。否定指示に対し、ＵＥはスペシャルサブフレームを用いたＴＴＩバンドリングを実行しないが、通常のＴＴＩバンドリング、例えば、ＬＴＥ仕様書で定義されるＴＴＩバンドリングスキームは実行し得る。代替手段として、否定指示に対し、ＵＥがいかなるＴＴＩバンドリングスキームも全く実行しないこともあり得る。
【００３１】
本発明の実施形態によれば、ＵＥがスペシャルサブフレームによってＴＴＩバンドリングを実行する場合、ＴＴＩバンドリングパケットの重複バージョンを構成する。ＴＴＩバンドリングに用いられる最初のサブフレームはスペシャルサブフレーム又は通常のサブフレームであり得る。ＴＴＩバンドリングで用いられる重複バージョンのシーケンスは、サブフレームの配列に従って設定され得る。本発明の実施形態によれば、ＴＴＩバンドリングに用いられるサブフレームが通常のサブフレームならば、高い優先度を持った重複バージョンがサブフレームに割り当てられ得、ＴＴＩバンドリングに用いられるサブフレームがスペシャルサブフレームならば、低い優先度を持った重複バージョンがサブフレームに割り当てられ得る。ある実施形態において、四つの重複バージョンがＴＴＩバンドリングに使用されているとすると、四つの重複バージョンのためのサブフレームが“Ｓ  Ｕ  Ｓ  Ｕ”と配列されているならば四つの重複バージョンのシーケンスは“３，０，１，２”となり得る。ここで“０”，“１”，“２”及び“３”は重複バージョンのインデックスをそれぞれ表す。別の実施形態において、四つの重複バージョンを伝送するためのサブフレームが“Ｕ  Ｓ  Ｕ  Ｓ”と配列されているならば、四つの重複バージョンのシーケンスは“０，３，２，１”となり得る。
【００３２】
スペシャルサブフレームをＴＴＩバンドリングスキームに用いられるのに好適にするために、本発明の実施形態はスペシャルサブフレームの構造を提案する。本発明の実施形態によれば、スペシャルサブフレームは、ダウンリンク伝送に関連する第１の部分と、ダウンリンク伝送とアップリンク伝送との転移のための分離に関連する第２の部分と、アップリンク伝送に関連する第３の部分と、を備える。第３の部分の長さは、隣り合ったシステムにおけるダウンリンク伝送に対する影響が最小になるＵＥのアップリンク伝送を確かにするために十分な長さである。本発明の実施形態によれば、第３の部分の長さはスペシャルサブフレームの長さの半分である。
【００３３】
本発明の実施形態に従うスペシャルサブフレーム５００の略図を示す図５を参照する。図５に示すように、スペシャルサブフレーム５００は第１の部分、ＤＷＰＴＳ５０１と、第２の部分、ＧＰ５０２と、第３の部分、ＵＰＰＴＳ５０３と、を備える。本発明の実施形態によれば、一つのサブフレームの長さを１ｍｓとすると、ＵＰＰＴＳ５０３の長さはおよそ０．５ｍｓに設定され、一方ＤＷＰＴＳ５０１とＧＰ５０２との組み合わせの長さはおよそ０．５ｍｓである。
【００３４】
本発明の実施形態によると、スペシャルサブフレームに配分されるリソースブロックの数は、通常のサブフレームに配分されるリソースブロックの数の２倍であり得る。今、本発明の実施形態に従う通常のサブフレームのためのリソース配分の略図を示す図６Ａを参照する。図６Ａを用いて説明される実施形態において、通常のサブフレームはアップリンクサブフレーム、例えばＬＴＥ  ＴＤＤシステムにおける“Ｕ”サブフレームであり、スロット０及びスロット１のどちらもアップリンク伝送に用いられる二つのスロットを備える。図に示すように、三つのリソースブロック、例えば三つの物理リソースブロック（ＰＲＢ）がそれぞれのサブフレームに配分される。アップリンク伝送は物理アップリンク共有チャネル（ＰＵＳＣＨ）によって実行される。
【００３５】
今、本発明の実施形態に従うスペシャルサブフレームのためのリソース配分の略図を示す図６Ｂを参照する。図６Ｂを用いて説明される実施形態において、スペシャルサブフレームは例えばＬＴＥ  ＴＤＤシステムにおける“Ｓ”サブフレームであり、スロット０及びスロット１の二つのスロットを同様に備える。図６Ａに示す通常のサブフレームと異なり、スペシャルサブフレームにおいては、スロット０はＤＷＰＴＳ及びＧＰに割り当てられるので、スロット１のみがアップリンク伝送に使われる。図に示すように、六つのリソースブロック、例えば六つのＰＲＢが、それぞれのサブフレームに配分される。このように、アップリンク伝送のための六つのリソースブロックが存在する。
【００３６】
本発明の実施形態に従うスペシャルサブフレームはＵＬ／ＤＬ構成０から６に適用され、ＴＴＩバンドリングをサポートするＵＬ／ＤＬ構成０，１及び６だけでなく、ＴＴＩバンドリングに適さないＵＬ／ＤＬ構成２，３，４，及び５も、ＴＴＩバンドリングスキームを採用し得る。本発明のいくつかの実施形態によれば、任意のＵＬ／ＤＬ構成２，３及び４に関するＴＴＩバンドリングのためのＨＡＲＱプロセスの数は、２以下であり得る。
【００３７】
今、本発明の実施形態に従うＨＡＲＱプロセス７００の略図を示す図７を参照する。特に、図７に示す実施形態において、ＴＤＤ  ＵＬ／ＤＬ構成２がＴＴＩバンドリングに採用されている。図に示すように、四つの重複バージョン（ＲＶ）、ＲＶ３，ＲＶ０，ＲＶ１，ＲＶ２がバンドルされている。第１の重複バージョンＲＶ３がＵＥからＢＳに第１の“Ｓ”サブフレームで伝送され、次に、第二の重複バージョンＲＶ０がＢＳに第１の“Ｕ”サブフレームで伝送され、続いて、三つの連続する“Ｄ”サブフレームがあるため、ＲＶはアップリンクに伝送されず、三つの“Ｄ”サブフレームの後、別の二つの“Ｓ”及び“Ｕ”サブフレームが第３及び第４の重複バージョンＲＶ１及びＲＶ２を伝送するために用いられる。この方法において、四つの重複バージョンのうち第１の組（例えば“＃０”で表される）が、二つのスペシャルサブフレーム及び二つの通常のサブフレーム（アップリンクノーマルサブフレーム）でのアップリンクにおいて伝送される。それから、四つの重複バージョンのうち第２の組（例えば“＃１”で表される）が、続く四つの“Ｓ”及び／又は“Ｕ”サブフレームでＢＳに伝送され得る。図７に示すように、ＲＶの第１の組が伝送された後に、応答（例えばＡＣＫ又はＮＡＣＫ）がある期間の後に“Ｄ”サブフレームにおいて受信され得る。本実施形態において、ＢＳがアップリンクパケットを適切に受信しなかったという、ＮＡＣＫの応答をＵＥが受信した場合、ＵＥはＲＶの第１の組を伝送する。したがって、ＲＶの第１の組の伝送の開始のために、ＵＥは次回の“Ｓ”サブフレーム又は“Ｕ”サブフレームを確認し得る。しかしながら、ＲＶの第２の組が伝送されているので、次回の“Ｓ”又は“Ｕ”サブフレームは第１の組の再伝送のためには使われない。代わりに、ＵＥはＲＶの第２の組に干渉しない他の“Ｓ”サブフレーム又は“Ｕ”サブフレームを見つける。図７に示すように、ＲＶの第１の組の伝送は第２の組の伝送の後に開始される。
【００３８】
肯定指示（例えば、ttiBundling_specialと名付けられた“真”である指示）の受信に応じて、伝送に割り当てられた物理リソースブロックに対応するリソース要素（ｋ，ｌ）のマッピングが第１のインデックスｋ、それからインデックスｌの昇順で、サブフレームにおける第２のスロット（例えばスロット１）について開始する。ttiBundling_specialが真に設定されているならば、アップリンク周波数ホッピングは“サブフレーム間”に設定される。
【００３９】
本発明の実施形態によれば、スペシャルサブフレームの構成について変化が起こり得る。例えば、ＴＳ  ３６．２１１の表４．２−１は、以下の表２のように変化し得る。
表２：スペシャルサブフレームの構成
【表２】
0005944579.tif 000003
【００４０】
本発明の実施形態によれば、スペシャルサブフレームがＴＴＩバンドリングに適用された場合に、ＴＳ  ３６．２１３の表８−１に変化が起こり得る。詳細を表３に示す。
表３：ＴＤＤのための同時ＵＬ  ＨＡＲＱプロセスの数
【表３】
0005944579.tif 000004
【００４１】
本発明の実施形態によれば、ＴＳ  ３６．２１３の表８−２に変化が起こり得る。詳細を表４及び表５に示す。表４はスペシャルサブフレームを用いたＴＴＩバンドリングが無効な場合のＴＤＤ  ＵＬ／ＤＬ構成０から６の“ｋ”の値を表す。ここで記号“ｋ”はサブフレームの数を示し、ＵＥはｎ＋ｋサブフレームでパケットを送信するまで待機する。
表４：スペシャルサブフレームを用いたＴＴＩバンドリングが無効な場合の、ＴＤＤ  構成０から６のｋ
【表４】
0005944579.tif 000005
【００４２】
表５はスペシャルサブフレームを用いたＴＴＩバンドリングが有効な場合のＴＤＤ  ＵＬ／ＤＬ構成２，３，４及び５の“ｋ”の値を表す。
表５：スペシャルサブフレームを用いたＴＴＩバンドリングが有効な場合の、ＴＤＤ構成２，３，４及び５のｋ
【表５】
0005944579.tif 000006
【００４３】
本発明の実施形態によれば、スペシャルサブフレームがＴＴＩバンドリングに適用された場合に、ＴＳ  ３６．２１３の表８−２ａに変化が起こり得る。詳細を表６に示す。表６はＴＤＤ  ＵＬ／ＤＬ構成０から６の“ｌ”の値を表す。ここで記号“ｌ”はＵＥがＡＣＫ／ＮＡＣＫをｎ−ｌサブフレームで受信することを示す。
表６：ＴＤＤ構成０から６のｌ
【表６】
0005944579.tif 000007
【００４４】
本発明の実施形態によれば、スペシャルサブフレームがＴＴＩバンドリングに適用された場合に、ＴＳ  ３６．２１３の表９．１．２−１に変化が起こり得る。詳細を表７及び表８に示す。表７はスペシャルサブフレームを用いたＴＴＩバンドリングが無効な場合のＴＤＤ  ＵＬ／ＤＬ構成０から６の“ｋＰＨＩＣＨ”の値を表す。ここで“ｋＰＨＩＣＨ”は基地局がＡＣＫ／ＮＡＣＫを送った後にＵＥがその受信を待つ必要があるサブフレームの数を示す。
表７：スペシャルサブフレームを用いたＴＴＩバンドリングが無効な場合のＴＤＤのｋＰＨＩＣＨ
【表７】
0005944579.tif 000008
【００４５】
表８はスペシャルサブフレームを用いたＴＴＩバンドリングが有効な場合のＴＤＤ  ＵＬ／ＤＬ構成２，３，４及び５の“ｋＰＨＩＣＨ”の値を表す。
表８：スペシャルサブフレームを用いたＴＴＩバンドリングが有効な場合のＴＤＤ  ＵＬ／ＤＬ構成２，３，４，及び５のｋＰＨＩＣＨ
【表８】
0005944579.tif 000009
【００４６】
今、本発明の実施形態に従うＴＤＤシステムにおいてカバレッジを増大させるためのＵＥで用いる方法のフローチャートを説明する図２を参照する。本発明の実施形態によれば、方法２００は、例えばＵＥ、端末、移動局、又は他の適切なデバイスによって実行され得る。
【００４７】
ステップＳ２０１では、ＢＳから受信されたメッセージが、スペシャルサブフレームがＴＴＩバンドリングに適用されることを指し示す指示が含むかどうかを決定する。
【００４８】
本発明の実施形態によれば、スペシャルサブフレームがＴＴＩバンドリングに適用されることを指し示す指示は、肯定指示ともみなされ得、肯定指示はＢＳから送信されるＲＲＣシグナリングに含まれ得る。ステップＳ２０１の決定の間、ＲＲＣシグナリングはＢＳから受信され得、それからＲＲＣシグナリングが指示を含むかどうかが決定され得る。
【００４９】
ステップＳ２０２では、受信されたメッセージが指示を含むという決定に応じて、ＴＴＩバンドリングパケットが少なくとも一つのスペシャルサブフレームでＢＳに伝送される。
【００５０】
ステップＳ２０２の間、本発明のいくつかの実施形態によれば、ＴＴＩバンドリングパケットを伝送する前に、ＵＥがＴＴＩバンドリングのためのサブフレームの配列を決定し、ＴＴＩバンドリングに用いられる重複バージョンのシーケンスをサブフレームの配列に従って設定する。
【００５１】
本発明の実施形態によれば、方法２００は、受信したメッセージが指示を含まないという決定に応じて、ＴＴＩバンドリングパケットをＢＳに通常のサブフレームのみで伝送するステップをさらに備え得る。
【００５２】
本発明のいくつかの実施形態によれば、スペシャルサブフレームは、ダウンリンク伝送に関連する第１の部分と、ダウンリンク伝送とアップリンク伝送との遷移のための分離に関連する第２の部分と、アップリンク伝送に関連する第３の部分とを備え得る。これらの実施形態において、第３の部分の長さは、隣り合ったシステムにおけるダウンリンク伝送に及ぼす干渉が最小になるＵＥのアップリンク伝送を確かにするために十分に長く設定され得る。例えば、スペシャルサブフレームは任意のＬＴＥ  ＴＤＤ  ＵＬ／ＤＬ構成０から６で定義される“Ｓ”サブフレームであり得る。このとき、スペシャルサブフレームが備える三つの部分はＤＷＰＴＳ、ＧＰ及びＵＰＰＴＳであり得る。いくつかの実施形態において、アップリンク伝送に対応するＵＰＰＴＳ部が“Ｓ”サブフレームの長さの半分より長い場合、隣り合ったシステムにおけるダウンリンク伝送に及ぼす干渉は増大し得る。このように、本発明の実施形態によれば、第３の部分の長さはスペシャルサブフレームの長さの半分以下である。例えば、ＵＰＰＴＳの長さは０．５ｍｓに設定され得る。したがって、“Ｓ”サブフレームの長さが１ｍｓの場合、ＤＷＰＴＳとＧＰの長さの和も０．５ｍｓであり得る。
【００５３】
本発明の実施形態によれば、スペシャルサブフレームに割り当てられるリソースブロックの数は、通常のサブフレームに割り当てられるリソースブロックの数の倍であり得る。
【００５４】
本発明の実施形態に従う少なくとも一つのＵＬ／ＤＬ構成は、３ＧＰＰ仕様書に記述されるＵＬ／ＤＬ構成０から６を備える。本発明の実施形態によれば、任意のＵＬ／ＤＬ構成２，３及び４に関するＴＴＩバンドリングのためのＨＡＲＱプロセスの数は、２以下である。
【００５５】
今、本発明の実施形態に従うＴＤＤシステムにおいてカバレッジを増大させるためのＢＳで用いられる装置３００のブロック図を説明する図３を参照する。これらの実施形態において、ＴＴＤシステムにおけるサブフレームのための少なくとも一つのＵＬ／ＤＬ構成が存在し、ＵＬ／ＤＬ構成は少なくとも一つのスペシャルサブフレームと少なくとも一つの通常のサブフレームとを備える。本発明の実施形態によれば、装置３００は、例えば、ＢＳ、ＢＳＣ、ゲートウェイ、中継器、サーバ、又は他の適切なデバイスであり得る。
【００５６】
本発明の実施形態によれば、装置３００は、スペシャルサブフレームがＴＴＩバンドリングに適用されるかどうかを決定するよう構成される第１の決定機３１０と、スペシャルサブフレームがＴＴＩバンドリングに適用されるという決定に応じて、ＵＥがＴＴＩバンドリングパケットを少なくとも一つのスペシャルサブフレームで伝送するように、スペシャルサブフレームがＴＴＩバンドリングに適用されることを指し示す指示を有するメッセージをＵＥに送信するよう構成される送信機３２０と、を備え得る。
【００５７】
本発明の実施形態によれば、送信機３２０は、スペシャルサブフレームがＴＴＩバンドリングに適用されないという決定に応じて、ＵＥがＴＴＩバンドリングパケットを通常のサブフレームのみで伝送するように、指示を含まないメッセージをＵＥに送信するように構成され得る。
【００５８】
本発明の実施形態によれば、送信機３２０は、ＲＲＣシグナリングを指示を含むように構成するよう構成される構成部と、ＲＲＣシグナリングをＵＥに送信するよう構成される送信部と、を備える。
【００５９】
本発明の実施形態によれば、ＴＴＩバンドリングに用いられる重複バージョンのシーケンスは、サブフレームの配列に従って設定され得る。
【００６０】
本発明の実施形態によれば、スペシャルサブフレームはダウンリンク伝送と関連する第１の部分と、ダウンリンク伝送とアップリンク伝送との遷移のための分離に関連する第２の部分と、アップリンク伝送に関連する第３の部分と、を備え得、第３の部分の長さは、隣り合ったシステムにおけるダウンリンク伝送に及ぼす干渉が最小になるＵＥのアップリンク伝送を確かにするために十分に長く設定される。
【００６１】
本発明の実施形態によれば、第３の部分の長さはスペシャルサブフレームの長さの半分であり得る。
【００６２】
本発明の実施形態によれば、スペシャルサブフレームに割り当てられるリソースブロックの数は、通常のサブフレームに割り当てられるサブフレームの数の倍であり得る。
【００６３】
本発明の実施形態によれば、少なくとも一つのＵＬ／ＤＬ構成が３ＧＰＰ仕様書に記述されるＵＬ／ＤＬ構成０から６を備え得、任意のＵＬ／ＤＬ構成２，３及び４に関するＴＴＩバンドリングのためのＨＡＲＱプロセスの数は、２であり得る。
【００６４】
今、本発明の実施形態に従うＴＤＤシステムにおいてカバレッジを増大させるためのＵＥで用いられる装置４００のブロック図を説明する図４を参照する。これらの実施形態において、少なくとも一つのＴＤＤシステムにおけるサブフレームのためのＴＤＤ  ＵＬ／ＤＬ構成が存在し、少なくとも一つのＵＬ／ＤＬ構成が、少なくとも一つのスペシャルサブフレームと少なくとも一つの通常のサブフレームとを備える。本発明の実施形態によれば、装置４００は、例えば、ＵＥ、端末、移動局、又は他の適切なデバイスであり得る。
【００６５】
本発明の実施形態によれば、装置３００は、ＢＳから受信したメッセージがスペシャルサブフレームがＴＴＩバンドリングに適用されることを指し示す指示を含むかどうかを決定するよう構成される第２の決定機４１０と、メッセージが指示を含むという決定に応じて、ＴＴＩバンドリングパケットをＢＳに少なくとも一つのスペシャルサブフレームで伝送するよう構成される伝送機４２０と、を備え得る。
【００６６】
本発明の実施形態によれば、伝送機４２０は、受信されたメッセージが指示を含まないという決定に応じて、ＴＴＩバンドリングパケットをＢＳへ通常のサブフレームのみで伝送するようにさらに構成され得る。
【００６７】
本発明の実施形態によれば、第２の決定機４１０は、ＢＳからの無線リソース制御（ＲＲＣ）シグナリングを受信するよう構成される受信部と、ＲＲＣシグナリングが指示を含むかどうかを決定するよう構成される決定部とを備え得る。
【００６８】
本発明の実施形態によれば、伝送機４２０は、ＴＴＩバンドリングのためのサブフレームの配列を決定するよう構成される決定部と、ＴＴＩバンドリングに用いられる重複バージョンのシーケンスをサブフレームの配列に従って設定する設定部と、を備え得る。
【００６９】
本発明の実施形態によれば、スペシャルサブフレームは、ダウンリンク伝送に関連する第１の部分と、ダウンリンク伝送とアップリンク伝送との遷移のための分離に関連する第２の部分と、アップリンク伝送に関連する第３の部分とを備え得る。これらの実施形態において、第３の部分の長さは、隣り合ったシステムにおけるダウンリンク伝送に及ぼす干渉が最小になるＵＥのアップリンク伝送を確かにするために十分に長く設定され得る。
【００７０】
本発明の実施形態によれば、第３の部分の長さはスペシャルサブフレームの長さの半分であり得る。
【００７１】
本発明の実施形態によれば、スペシャルサブフレームに割り当てられるリソースブロックの数は、通常のサブフレームに割り当てられるリソースブロックの数の倍であり得る。
【００７２】
本発明の実施形態によれば、少なくとも一つのＵＬ／ＤＬ構成が３ＧＰＰ仕様書に記述されるＵＬ／ＤＬ構成０から６を備え得、任意のＵＬ／ＤＬ構成２，３及び４に関するＴＴＩバンドリングのためのＨＡＲＱプロセスの数は、２以下であり得る。
【００７３】
装置３００が図１を参照して記述されるような機能性を実行するよう構成され得、装置４００が図２を参照して説明されるような機能性を実行するよう構成され得ることが留意される。よって、方法１００について議論された特徴は、装置３００の対応する構成要素に適用され得、方法２００について議論された特徴は、装置４００の対応する構成要素に適用され得る。装置３００及び装置４００の構成要素は、ハードウェア、ソフトウェア、ファームウェア、及び／又はそれらの組み合わせにおいて実施され得ることがさらに留意される。例えば、装置３００又は４００の構成要素は回路、処理装置又は他の適切に選択されたデバイスによって実行され得る。当業者は、前述の例は単に説明であって限定でないことを理解するだろう。
【００７４】
本発明のいくつかの実施形態において、装置３００は少なくとも一つの処理装置を備える。本開示の実施形態での使用に適した少なくとも一つの処理装置は、例として、既知又は将来開発される汎用及び専用プロセッサを含み得る。装置３００は少なくとも一つのメモリをさらに備える。少なくとも一つのメモリは、例えば、半導体メモリデバイス、例えばＲＡＭ、ＲＯＭ、ＥＰＲＯＭ、ＥＥＰＲＯＭ、及びフラッシュメモリデバイスを含み得る。少なくとも一つのメモリは、コンピュータが実行可能な指示のプログラムを記憶するために使われ得る。プログラムは、高水準及び／又は低水準のコンパイラ又はインタプリタプログラミング言語で書かれ得る。実施形態によれば、指示を実行できるコンピュータは、少なくとも一つのプロセッサを有し、装置３００を少なくとも上述のような方法１００に従って機能させるように構成され得る。
【００７５】
本開示のいくつかの実施形態において、装置４００は少なくとも一つの処理装置を備える。本開示の実施形態での使用に適した少なくとも一つの処理装置は、例として、既知又は将来開発される汎用及び専用プロセッサを含み得る。装置４００は少なくとも一つのメモリをさらに備える。少なくとも一つのメモリは、例えば、半導体メモリデバイス、例えばＲＡＭ、ＲＯＭ、ＥＰＲＯＭ、ＥＥＰＲＯＭ、及びフラッシュメモリデバイスを含み得る。少なくとも一つのメモリは、コンピュータが実行可能な指示のプログラムを記憶するために使われ得る。プログラムは、高水準及び／又は低水準のコンパイラ又はインタプリタプログラミング言語で書かれ得る。実施形態によれば、指示を実行できるコンピュータは、少なくとも一つのプロセッサを有し、装置４００を少なくとも上述のような方法２００に従って機能させるように構成され得る。
【００７６】
上記に基づき、当業者は本開示が装置、方法、又はコンピュータプログラム製品として実施され得ると理解するだろう。一般に、様々な実施例が、ハードウェア又は専用回路、ソフトウェア、論理又はこれらの組み合わせで実行され得る。例えば、ある態様はハードウェアに実装され得、一方で他の態様は制御機、マイクロプロセッサ又は他のコンピューティングデバイスによって実行されるファームウェア又はソフトウェアに実装され得るが、本開示はこれらに限られるものではない。本開示の実施例の様々な態様がブロック図、フローチャート、又は他の図的表現として説明及び記述され得るが、ここで記述されたこれらのブロック、装置、システム、技術又は方法は、非限定的な例として、ハードウェア、ソフトウェア、ファームウェア、専用回路又は論理、汎用ハードウェア又は制御機又は他のコンピューティングデバイス、又はそれらの組み合わせに実装され得るとよく理解されるだろう。
【００７７】
図１及び図２に示す様々なブロックは、方法ステップ、及び／又はコンピュータプログラムコードの作用に起因する作用及び／又は関連する機能を実行するよう構成された複数の論理回路要素と見なされ得る。少なくとも本開示の実施例のいくつかの態様は、集積回路チップ及びモジュールのような様々な部品で実施され得、この本開示の実施例は、本開示の実施例に従って動作する集積回路、ＦＰＧＡ又はＡＳＩＣとして実施される装置で実現され得る。
【００７８】
本明細書は多くの特有な実施詳細を含むが、いかなる開示又は特許請求の範囲の限定と解釈されるべきものではなく、むしろ特定の開示の特定の実施形態に特有であり得る特徴の記述と解釈されるべきものである。本明細書の別の実施形態の文脈において記述されるある特徴は、組み合わせて単一の実施形態でも実施できる。逆に、単一の実施形態の文脈で記述される様々な特徴は、複数の実施形態で別々に、又は副組み合わせでも実施できる。さらに、ある組み合わせで働くと上述され、又は当初そのように特許請求の範囲に記載されていても、特許請求の範囲に記載された組み合わせの一つ以上の特徴は、部分的組み合わせ又は部分的組み合わせの変形に向けられ得る。
【００７９】
同様に、図において特定の順番で工程が描写されていても、望ましい結果を達成するために、そのような工程が示された特定の順番又は逐次的に、又は全ての図示された工程が、実行されることが要求されると解するべきではない。ある状況においては、マルチタスク及び並列処理が有利であり得る。さらに、上述の実施形態における様々なシステム構成要素の分離は、全ての実施形態における分離のような要求と解されるべきではなく、記述されたプログラム構成要素及びシステムは、一般に単一のソフトウェア製品に統合、複数のソフトウェア製品に包括できるものと解される。
【００８０】
様々な変形、本開示の前述の実施例への適合が、添付の図面と併せて読んだとき、前述の描写の観点から当業者に明らかになろう。全てのあらゆる変形は、非限定的及び例示的な本開示の実施形態の範囲になお含まれるだろう。さらに、ここに説明される本開示の他の実施形態は、以上の記述及び関連する図面において提供された技術の利益を受ける、本開示のこれらの実施形態が関連する分野の当業者に思い浮かぶだろう。
【００８１】
したがって、本開示の実施形態は開示された特定の実施形態に限られず、変形及び他の実施形態は添付の特許請求の範囲に含まれることが理解される。ここでは特定の用語が使用されているが、それらは一般的及び説明的な意味でのみ使用され、限定を目的としていない。
【００８２】
（付記１）
時分割複信（ＴＤＤ）システムにおいてカバレッジを増大させるための方法であって、
前記ＴＤＤシステムにおけるサブフレームのための少なくとも一つのＴＤＤアップリンク（ＵＬ）／ダウンリンク（ＤＬ）構成が存在し、少なくとも一つのＵＬ／ＤＬ構成は、少なくとも一つのスペシャルサブフレームと少なくとも一つの通常のサブフレームとを備え、
スペシャルサブフレームが伝送時間間隔（ＴＴＩ）バンドリングに適用されるかどうかを決定することと、
スペシャルサブフレームがＴＴＩバンドリングに適用されるという決定に応じて、ユーザ機器（ＵＥ）がＴＴＩバンドリングパケットを少なくとも一つのスペシャルサブフレームで伝送するように、スペシャルサブフレームがＴＴＩバンドリングに適用されることを指し示す指示を有するメッセージを前記ＵＥに送信することと、
を備える方法。
【００８３】
（付記２）
スペシャルサブフレームがＴＴＩバンドリングに適用されないという決定に応じて、前記ＵＥがＴＴＩバンドリングパケットを通常のサブフレームのみで伝送するように、前記指示を含まない前記メッセージを前記ＵＥに送信することをさらに備える、付記１に記載の方法。
【００８４】
（付記３）
スペシャルサブフレームがＴＴＩバンドリングに適用されることを指し示す指示を有するメッセージをＵＥに送信することが、
無線リソース制御（ＲＲＣ）シグナリングを前記指示を含むように構成することと、
前記ＲＲＣシグナリングを前記ＵＥに送信することと、
を備える、付記１に記載の方法。
【００８５】
（付記４）
前記ＴＴＩバンドリングに用いられる重複バージョンのシーケンスがサブフレームの配列に従って設定される、付記１に記載の方法。
【００８６】
（付記５）
前記スペシャルサブフレームが、ダウンリンク伝送に関連する第１の部分と、前記ダウンリンク伝送とアップリンク伝送との遷移のための分離に関連する第２の部分と、前記アップリンク伝送に関連する第３の部分と、を備え、前記第３の部分の長さは、隣り合ったシステムにおけるダウンリンク伝送に対する影響が最小になる前記ＵＥの前記アップリンク伝送を確かにするために十分な長さに設定される、付記１に記載の方法。
【００８７】
（付記６）
前記第３の部分の長さが前記スペシャルサブフレームの長さの半分である、付記５に記載の方法。
【００８８】
（付記７）
前記スペシャルサブフレームに割り当てられるリソースブロックの数が、通常のサブフレームに割り当てられるリソースブロックの数の倍である、付記１に記載の方法。
【００８９】
（付記８）
前記少なくとも一つのＵＬ／ＤＬ構成は、３ＧＰＰ仕様書に記述されるＵＬ／ＤＬ構成０から６を備え、任意のＵＬ／ＤＬ構成２，３及び４に関する前記ＴＴＩバンドリングのためのＨＡＲＱプロセスの数は２以下である、付記１に記載の方法。
【００９０】
（付記９）
時分割複信（ＴＤＤ）システムにおいてカバレッジを増大させるための方法であって、
前記ＴＤＤシステムにおけるサブフレームのための少なくとも一つのＴＤＤアップリンク（ＵＬ）／ダウンリンク（ＤＬ）構成が存在し、少なくとも一つのＵＬ／ＤＬ構成は、少なくとも一つのスペシャルサブフレームと少なくとも一つの通常のサブフレームとを備え、
スペシャルサブフレームが伝送時間間隔（ＴＴＩ）バンドリングに適用されることを指し示す指示を、基地局（ＢＳ）から受信されたメッセージが含むかどうかを決定することと、
前記受信されたメッセージが前記指示を含むという決定に応じて、ＴＴＩバンドリングパケットを前記ＢＳに少なくとも一つのスペシャルサブフレームで伝送することと、
を備える方法。
【００９１】
（付記１０）
前記受信されたメッセージが前記指示を含まないという決定に応じて、ＴＴＩバンドリングパケットを通常のサブフレームのみで伝送することをさらに備える、付記９に記載の方法。
【００９２】
（付記１１）
スペシャルサブフレームがＴＴＩバンドリングに適用されることを指し示す指示を、ＢＳから受信されたメッセージが含むかどうかを決定することが、
前記ＢＳからの無線リソース制御（ＲＲＣ）シグナリングを受信することと、
前記ＲＲＣシグナリングが前記指示を含むかどうかを決定することと、
を備える、付記９に記載の方法。
【００９３】
（付記１２）
ＴＴＩバンドリングパケットを前記ＢＳに少なくとも一つのスペシャルサブフレームで伝送することが、
前記ＴＴＩバンドリングのためのサブフレームの配列を決定することと、
前記ＴＴＩバンドリングに用いられる重複バージョンのシーケンスを前記サブフレームの配列に従って設定することと、
を備える、付記９に記載の方法。
【００９４】
（付記１３）
前記スペシャルサブフレームが、ダウンリンク伝送に関連する第１の部分と、前記ダウンリンク伝送とアップリンク伝送との遷移のための分離に関連する第２の部分と、前記アップリンク伝送に関連する第３の部分と、を備え、前記第３の部分の長さは、隣り合ったシステムにおけるダウンリンク伝送に対する影響が最小になる前記ＵＥの前記アップリンク伝送を確かにするために十分な長さに設定される、付記９に記載の方法。
【００９５】
（付記１４）
前記第３の部分の長さが前記スペシャルサブフレームの長さの半分である、付記１３に記載の方法。
【００９６】
（付記１５）
前記スペシャルサブフレームに割り当てられるリソースブロックの数が、通常のサブフレームに割り当てられるリソースブロックの数の倍である、付記９に記載の方法。
【００９７】
（付記１６）
前記少なくとも一つのＵＬ／ＤＬ構成は、３ＧＰＰ仕様書に記述されるＵＬ／ＤＬ構成０から６を備え、任意のＵＬ／ＤＬ構成２，３及び４に関する前記ＴＴＩバンドリングのためのＨＡＲＱプロセスの数は２以下である、付記９に記載の方法。
【００９８】
（付記１７）
時分割複信（ＴＤＤ）システムにおいてカバレッジを増大させるための装置であって、
前記ＴＤＤシステムにおけるサブフレームのための少なくとも一つのＴＤＤアップリンク（ＵＬ）／ダウンリンク（ＤＬ）構成が存在し、少なくとも一つのＵＬ／ＤＬ構成は、少なくとも一つのスペシャルサブフレームと少なくとも一つの通常のサブフレームとを備え、
スペシャルサブフレームがＴＴＩバンドリングに適用されるかどうかを決定するよう構成される第１の決定機と、
スペシャルサブフレームが伝送時間間隔（ＴＴＩ）バンドリングに適用されるという決定に応じて、ユーザ機器（ＵＥ）がＴＴＩバンドリングパケットを少なくとも一つのスペシャルサブフレームで伝送するように、スペシャルサブフレームがＴＴＩバンドリングに適用されることを指し示す指示を有するメッセージを前記ＵＥに送信するよう構成される送信機と、
を備える装置。
【００９９】
（付記１８）
前記送信機が、スペシャルサブフレームがＴＴＩバンドリングに適用されないという決定に応じて、前記ＵＥがＴＴＩバンドリングパケットを通常のサブフレームのみで伝送するように、前記指示を含まない前記メッセージを前記ＵＥに送信するようさらに構成される、付記１７に記載の装置。
【０１００】
（付記１９）
前記送信機が、
無線リソース制御（ＲＲＣ）シグナリングを前記指示を含むように構成するよう構成される構成部と、
前記ＲＲＣシグナリングを前記ＵＥに送信するよう構成される送信部と、
を備える、付記１７に記載の装置。
【０１０１】
（付記２０）
前記ＴＴＩバンドリングに用いられる重複バージョンのシーケンスがサブフレームの配列に従って設定される、付記１７に記載の装置。
【０１０２】
（付記２１）
前記スペシャルサブフレームが、ダウンリンク伝送に関連する第１の部分と、前記ダウンリンク伝送とアップリンク伝送との遷移のための分離に関連する第２の部分と、前記アップリンク伝送に関連する第３の部分と、を備え、前記第３の部分の長さは、隣り合ったシステムにおけるダウンリンク伝送に対する影響が最小になる前記ＵＥの前記アップリンク伝送を確かにするために十分な長さに設定される、付記１７に記載の装置。
【０１０３】
（付記２２）
前記第３の部分の長さが前記スペシャルサブフレームの長さの半分である、付記２１に記載の装置。
【０１０４】
（付記２３）
前記スペシャルサブフレームに割り当てられるリソースブロックの数が、通常のサブフレームに割り当てられるリソースブロックの数の倍である、付記１７に記載の装置。
【０１０５】
（付記２４）
前記少なくとも一つのＵＬ／ＤＬ構成は、３ＧＰＰ仕様書に記述されるＵＬ／ＤＬ構成０から６を備え、任意のＵＬ／ＤＬ構成２，３及び４に関する前記ＴＴＩバンドリングのためのＨＡＲＱプロセスの数は２以下である、付記１７に記載の装置。
【０１０６】
（付記２５）
時分割複信（ＴＤＤ）システムにおいてカバレッジを増大させるための装置であって、
前記ＴＤＤシステムにおけるサブフレームのための少なくとも一つのＴＤＤアップリンク（ＵＬ）／ダウンリンク（ＤＬ）構成が存在し、少なくとも一つのＵＬ／ＤＬ構成は、少なくとも一つのスペシャルサブフレームと少なくとも一つの通常のサブフレームとを備え、
スペシャルサブフレームが伝送時間間隔（ＴＴＩ）バンドリングに適用されることを指し示す指示を、基地局（ＢＳ）から受信されたメッセージが含むかどうかを決定するよう構成される第２の決定機と、
前記受信されたメッセージが前記指示を含むという決定に応じて、ＴＴＩバンドリングパケットを前記ＢＳに少なくとも一つのスペシャルサブフレームで伝送するよう構成される伝送機と、
を備える装置。
【０１０７】
（付記２６）
前記伝送機が、前記受信されたメッセージが前記指示を含まないという決定に応じて、ＴＴＩバンドリングパケットを通常のサブフレームのみで伝送するようさらに構成される、付記２５に記載の装置。
【０１０８】
（付記２７）
前記第２の決定機が、
前記ＢＳからの無線リソース制御（ＲＲＣ）シグナリングを受信するよう構成される受信部と、
前記ＲＲＣシグナリングが前記指示を含むかどうかを決定するよう構成される決定部と、
を備える、付記２５に記載の装置。
【０１０９】
（付記２８）
前記伝送機が、
前記ＴＴＩバンドリングのためのサブフレームの配列を決定するよう構成される決定部と、
前記ＴＴＩバンドリングに用いられる重複バージョンのシーケンスを前記サブフレームの配列に従って設定するよう構成される設定部と、
を備える、付記２５に記載の装置。
【０１１０】
（付記２９）
前記スペシャルサブフレームが、ダウンリンク伝送に関連する第１の部分と、前記ダウンリンク伝送とアップリンク伝送との遷移のための分離に関連する第２の部分と、前記アップリンク伝送に関連する第３の部分と、を備え、前記第３の部分の長さは、隣り合ったシステムにおけるダウンリンク伝送に対する影響が最小になる前記ＵＥの前記アップリンク伝送を確かにするために十分な長さに設定される、付記２５に記載の装置。
【０１１１】
（付記３０）
前記第３の部分の長さが前記スペシャルサブフレームの長さの半分である、付記２９に記載の装置。
【０１１２】
（付記３１）
前記スペシャルサブフレームに割り当てられるリソースブロックの数が、通常のサブフレームに割り当てられるリソースブロックの数の倍である、付記２５に記載の装置。
【０１１３】
（付記３２）
前記少なくとも一つのＵＬ／ＤＬ構成は、３ＧＰＰ仕様書に記述されるＵＬ／ＤＬ構成０から６を備え、任意のＵＬ／ＤＬ構成２，３及び４に関する前記ＴＴＩバンドリングのためのＨＡＲＱプロセスの数は２以下である、付記２５に記載の装置。
【図１】
0005944579.tif 000010
【図２】
0005944579.tif 000011
【図３】
0005944579.tif 000012
【図４】
0005944579.tif 000013
【図５】
0005944579.tif 000014
【図６Ａ】
0005944579.tif 000015
【図６Ｂ】
0005944579.tif 000016
【図７】
0005944579.tif 000017